(57)【要約】【課題】重厚感があり、耐水性、加工性に優れた収納キャビネットを有し、使用時に飛散した水によって腐食することのない、使い勝手のいい洗面化粧台を提供することである。【解決手段】洗面ボウル部１を備えた洗面台２と、洗面台２の上部に隣接して設けられる収納キャビネット３と、を備えた洗面化粧台であって、収納キャビネット３はセメントを主成分とするセメント組成物の成形品を主体として構成してなるものとした。また、成形品は、材料内部に空隙を有することを特徴とする。【選択図】図１
2011083503.tif 000002
【特許請求の範囲】
【請求項１】
洗面ボウル部を備えた洗面台と、前記洗面台の上部に隣接して設けられる収納キャビネットと、を備えた洗面化粧台であって、
前記収納キャビネットは、セメントを主成分とするセメント組成物の成形品を主体として構成してなることを特徴とする洗面化粧台。
【請求項２】
前記成形品は、材料内部に空隙を有することを特徴とする請求項１に記載の洗面化粧台。
【請求項３】
前記空隙は、表面に疎水化処理がされていることを特徴とする請求項２に記載の洗面化粧台。
【請求項４】
前記セメント組成物は、水と樹脂モノマーとがＷ／Ｏ型の逆エマルジョン組成物を含むことを特徴とする請求項１乃至３のいずれかに記載の洗面化粧台。
【発明の詳細な説明】
【技術分野】
【０００１】
本願発明は、洗面化粧台に関するものである。
【背景技術】
【０００２】
従来から、洗面ボウル部を備えた洗面台と、前記洗面台の上部に隣接して設けられる収納キャビネットと、を備えた洗面化粧台が知られている（特許文献１）。この洗面化粧台は洗面ボウル部の側辺部に木製部材により形成された収納キャビネットを備えていて、洗面ボウル部の上部に鏡を備えている。木材は加工性に優れているが、洗面台使用時における水の飛散等による腐食が起こりやすく、また、木材を用いて作られた収納キャビネットは重厚感に乏しい。
【０００３】
また、合成樹脂を用いて成形された洗面化粧台用ミラーキャビネットが知られている（特許文献２）。合成樹脂は一般的に熱硬化性樹脂として不飽和ポリエステル樹脂、エポキシ樹脂、アクリル樹脂等、熱可塑性樹脂としてポリプロピレン、PMMA樹脂等が使用されている。熱硬化性樹脂は、水に対する耐久性は強いが、長期間の使用によって変色する。熱可塑性樹脂は、同様に水に対する耐久性は強く、また長期間の使用によって変色することが少ない。これら二つの樹脂は、炭酸カルシウムや水酸化アルミニウム等の無機フィラーを添加し、比重を増加させ重厚感を得ることがあったが、樹脂が主成分となる為に、外観的に十分な重厚感が得られない。
【先行技術文献】
【特許文献】
【０００４】
【特許文献１】特開２００２−４８１号公報
【特許文献２】特開２００１−１６１４６５号公報
【発明の概要】
【発明が解決しようとする課題】
【０００５】
本願発明は、上記背景技術に鑑みて発明されたもので、その課題は、重厚感があり、耐水性、加工性に優れた収納キャビネットを有し、使用時に飛散した水によって腐食することが起こり難い洗面化粧台を提供することである。
【課題を解決するための手段】
【０００６】
上記課題を解決するために、本願請求項１記載の発明では、洗面ボウル部を備えた洗面台と、前記洗面台の上部に隣接して設けられる収納キャビネットと、を備えた洗面化粧台であって、前記収納キャビネットはセメントを主成分とするセメント組成物の成形品を主体として構成してなることを特徴としている。
【０００７】
また、本願請求項２記載の発明では、上記請求項１記載の洗面化粧台において、前記成形品は材料内部に空隙を有することを特徴としている。
【０００８】
また、本願請求項３記載の発明では、上記請求項２記載の洗面化粧台において、前記空隙は表面に疎水化処理がされていることを特徴としている。
【０００９】
また、本願請求項４記載の発明では、上記請求項１乃至３のいずれかに記載の洗面化粧台において、水と樹脂モノマーとがＷ／Ｏ型の逆エマルジョン組成物を含むことを特徴としている。
【発明の効果】
【００１０】
本願請求項１記載の発明の洗面化粧台においては、収納キャビネットはセメントを主成分とするセメント組成物の成形品を主体として構成してなる。これより、収納キャビネットは外観的に重厚感を持つ。また、セメント組成物は異形成形が可能であり、収納キャビネットの複雑な形状も一体で成形でき、外観に複雑な凹凸をつけ意匠性を向上させることができる。また、洗面台使用時に飛散した水が付着しても、カビの発生が軽減される。
【００１１】
また、本願請求項２記載の発明の洗面化粧台においては、上記本願請求項１記載の発明の効果に加え、特に、前記成形品は材料内部に空隙を有しているので、収納キャビネットの重量が減少し、運搬を容易にすることができる。
【００１２】
また、本願請求項３記載の発明の洗面化粧台においては、上記本願請求項２記載の発明の効果に加え、特に、前記空隙は表面に疎水化処理がされているので、水滴が空隙に入っても腐食しにくくなる。
【００１３】
また、本願請求項４記載の発明の洗面化粧台においては、上記本願請求項１乃至３のいずれかに記載の発明の効果に加え、特に、水と樹脂モノマーとがＷ／Ｏ型の逆エマルジョン組成物を含むことにより、空隙の表面が樹脂ポリマーに覆われ、疎水化されているので洗面台使用時に飛散した水が吸水されにくく、セメント結晶物と複合されるので、成形品はさらに疎水性を得ることができる。
【図面の簡単な説明】
【００１４】
【図１】本願発明の一実施形態を示す洗面化粧台の斜視図
【発明を実施するための形態】
【００１５】
図１は、本願発明の一実施形態に係る洗面化粧台を示す。
【００１６】
この洗面化粧台は、洗面ボウル部１を備えた洗面台２と、洗面台２の上部に隣接して設けられる収納キャビネット３と、を備えている。収納キャビネット３は、セメントを主成分とするセメント組成物の成形品を主体として構成してなるものである。この成形品は、材料内部に空隙を有し、この空隙は、表面に疎水化処理がされている。セメント組成物は、水と樹脂モノマーとがW／O型の逆エマルジョン組成物を含んでいる。
【００１７】
セメント組成物は、少なくともセメント、水、W／O型の逆エマルジョン組成物を原料とする。なお、逆エマルジョンは、油性物質（樹脂モノマー）と水とを撹拌混合することによって形成され、W／O型の逆エマルジョン組成物とは、樹脂モノマー、水、重合開始剤等を混合して得ることができる。成形品内部の空隙は、樹脂ポリマー形成時に離水することで水が抜けた部分により形成される。また、材料の撹拌時において混入した空気によっても空隙が形成され、この空隙の表面は、樹脂ポリマーによって覆われる。さらに樹脂ポリマーとセメント結晶物とが複合されて、成形品は疎水性を得る。
【００１８】
以下、この実施形態の洗面化粧台をより具体的詳細に説明する。図１に示すように、洗面ボウル部１は平面視において楕円形状であるが、矩形状であっても構わない。洗面台２は洗面ボウル部１を有し、洗面ボウル部１の後方に蛇口４を有し、洗面台２の下部には収納部５を備え、洗面台２の後端から上方へ突出した突出部６は洗面台２と一体となって備えられている。洗面台２の平面視形状においては矩形状であるが、楕円形状であっても構わない。洗面台２と突出部６は一体で、側面視はL字型となっている。突出部６の上端には前面が開口した収納キャビネット３を備えている。収納キャビネット３は、横方向に３つの収納空間を有し、各収納空間には一体に収納棚７を備え、最低２つ以上の空間を有する。収納キャビネット３と収納棚７とは、セメント組成物を用いて形成されている。なお、収納棚７は別途取り付けてもよい。また収納物を埃等から遮るために前面に扉８を備えてもよい。収納キャビネット３の前面に備えた扉８は表面に鏡９を備えてもよい。収納キャビネット３において、横方向に有する３つの収納空間は、収納棚７を設け、全て扉８を設けずに前方に開放してもよい。また、収納棚７を設け、両端２つの空間を前方に開放し、真ん中の空間にのみに扉８を設置し、その扉８の表面には鏡９を設置してもよい。また、収納棚７を設け、３つの収納空間のうち、１つを前方に開放し、残り２つには扉８を設置し、その扉８の表面には鏡９を設置してもよい。また、収納棚７を設け、全ての空間に扉８を設置し、真ん中の扉の表面にのみ鏡９を設置してもよい。また、全ての空間に扉８を設置し、全ての扉８の表面に鏡９を設置してもよい。扉８はセメント組成物を用いて形成される。扉８は収納キャビネット３とヒンジで固定されていて、開閉可能となっている。収納キャビネット３内は、化粧品や歯ブラシ等をしまう空間を有する。
【００１９】
収納キャビネット３は上端に照明器具を有し、下端に手元照明を有してもよい。そして、蛇口４は洗面台２の上面に設置されるに限らず、収納キャビネット３の下端に設置されてもよい。また、蛇口４はシャワー形状となっていて、延長可能なホースによって接続され、伸ばして使用することも可能とする。収納部５は両開きの扉を有していても、引き出し収納部を有していてもよい。
【００２０】
洗面ボウル部１と突出部６とを備えた洗面台２はセメント組成物等を含む材料で一体に形成されているので、防水性に優れている。収納部５はセメント組成物や合成樹脂等を用いて形成されている。鏡９の表面はくもり止めの効果を有する素材を用いて形成されている。
【００２１】
収納キャビネット３の成形に用いるセメント組成物中のセメントとしては、普通ポルトランドセメント、早強セメント、高炉セメント等を用いることができ、また一種単独で用いたり、二種以上を併用したりすることができる。また、セメント組成物中には上記成分以外にも、骨材や、各種添加剤を含有させることができる。例えば骨材として限定はなく、珪石粉、珪砂、シリカ、フライアッシュ等を用いることができる。繊維分としては、パルプ、PP繊維、ビニロン繊維、ガラス繊維、炭素繊維等が挙げられ、これらを単独で、あるいは二種以上を混合して使用することができる。この繊維分は硬化体の補強繊維として機能し、強度、靭性、衝撃性を向上させるために添加する。また、顔料やセメント材料の端材粉砕品などを添加することもできる。
【００２２】
また、セメント組成物には、W／O型の逆エマルジョン組成物を含むと好ましい。逆エマルジョンは、油性物質と水とを撹拌混合することによって形成されるものであり、この逆エマルジョンの油性物質としては、アクリル、スチレン等の重合性二重結合を有する樹脂モノマーが用いると、セメントの水和反応と重合性二重結合を有する樹脂モノマーの重合反応とが同時に起こり、ポリマーを形成し、優れた物理的、機械的性質を有するセメント成形品が得られる。
【００２３】
本実施形態における成形品は、例えばポルトランドセメント４０重量％、珪石粉２０重量％、フライアッシュ１０重量％、ビニロン繊維５重量％、W／O型エマルジョン組成物２５重量％（水を含む）の重量比のセメント組成物を押出プレス成形により作り、養生硬化させて得られる。
【００２４】
したがって、この実施形態の洗面化粧台においては、収納キャビネット３はセメントを主成分とするセメント組成物の成形品を主体として構成してなるものであり、木材や合成樹脂で作られた収納キャビネットよりも外観的に重厚感を持つ。この成形品は使用時に目線の高さに設置されるので、重厚感を持たせることが可能となる。また、セメント組成物は異形成形が可能であり、収納キャビネット３の複雑な形状を一体で成形でき、外観に複雑な凹凸をつけ意匠性を向上させることができる。なお、収納キャビネット３の製造方法としては、押出プレス成形により一体的に製造するものに限定するものではなく、セメント組成物を用いて成形した収納キャビネット部材を予め準備し、それを後から組み立てて、成形品を作っても構わない。
【００２５】
また、この実施形態の洗面化粧台においては、成形品は材料内部に空隙を有しているので、収納キャビネット３の重量が減少し、運搬を容易にするができる。
【００２６】
また、この実施形態の洗面化粧台においては、空隙は表面に疎水化処理がされているので、洗面台使用時に飛散した水が吸水されたときに、カビの発生が軽減される。
【００２７】
また、この実施形態の洗面化粧台においては、水と樹脂モノマーとがＷ／Ｏ型の逆エマルジョン組成物を含むことにより、空隙の表面が樹脂ポリマーに覆われ、疎水化されているので洗面台使用時に飛散した水が吸水されにくく、セメント結晶物と複合されるので、成形品はさらに疎水性を得ることができる。すなわち、洗面ボウル部1の近くに収納キャビネット３を設置するので、使用時に水が飛散しやすく、その飛散した水によって腐食が起こる可能性があるが、疎水性を持つ成形品であることで、特に腐食が起こりにくい。
【００２８】
なお、上記実施形態では収納キャビネット３は洗面台２の前方に設置されているが、側方に設置されても構わない。また、収納キャビネット３はセメントを主成分とするセメント組成物の成形品を主体として構成しているものであれば良く、収納棚７や一部の背面板などは、ガラスや木材等を使用することも可能である。
【実施例】
【００２９】
（実施例１、比較例１、２）
・実施例１：収納キャビネットを、普通ポルトランドセメント４０重量％、珪石粉２０重量％、フライアッシュ１０重量％、ビニロン繊維５重量％、W／O型エマルジョン化された材料２５重量％（水を含む）の重量比のセメント組成物を用いて成形
・比較例１：実施例１と同様の形状の収納キャビネットを、熱硬化樹脂であるアクリルを用いて成形
・比較例２：実施例１と同様の形状の収納キャビネットを、木材を用いて作成
実施例１、比較例１、比較例２のそれぞれについて、重厚感、透水性、加工性を次の基準により評価した。
【００３０】
重厚感は、成形品の触感、打音によって評価した。このときの評価記号は以下の通りとした。◎：石や陶器のような重厚感あり、○：やや重厚感に欠けるが問題ない重厚感、×：プラスチックと同様に重厚感に欠ける。
【００３１】
透水性は、成形品に２４時間筒を立て、透水における水の浸透度合いで評価した。このときの評価記号は以下の通りとした。◎：全く透水しない、○：やや透水するが、実使用上問題なし、×：透水性大。
【００３２】
加工性は、成形品を電動切断ノコギリで切断する際の材料欠け、作業性で評価した。この時の「評価記号は以下の通りとした。◎；問題なし、○：やや材料の欠けはあるが作業性に問題なし、×：材料欠け大、または作業性が悪い（湿式などの専用工具が必要レベル）。
【００３３】
これら成形品の評価結果を表１に示す。
【００３４】
【表１】
2011083503.tif 000003
【００３５】
表１から明らかなように、セメント組成物を用いて成形した収納キャビネットの重厚感は、一般的に使用されているアクリルや木材を用いて作られた収納キャビネットに比べて重厚感が優れる。またW／O型の逆エマルジョン組成物を用いて生成した収納キャビネットの透水性は、アクリルを用いて成形した収納キャビネットに比べると劣るが、木材を用いて作成した収納キャビネットに比べると優れており、水を使用するときに水飛散により透水が抑えられる。さらに  セメント組成物を用いて成形した収納キャビネットの加工性は、木材を用いて作成した収納キャビネットのような比重の低い材料に比べると劣るが、十分良い加工性を維持することができる。
【符号の説明】
【００３６】
１  洗面ボウル部
２  洗面台
３  収納キャビネット
４  蛇口
５  収納部
６  突出部
７  収納棚
８  扉
９  鏡
【図１】
2011083503.tif 000004